(57)【要約】【課題】ヒートポンプ給湯機を備える専用部を有する集合住宅のデマンド値を低減可能なデマンド管理システムを提供する。【解決手段】デマンド管理システムは、複数の専有部の各々に設置されたヒートポンプ給湯機と、各ヒートポンプ給湯機の動作を制御する制御システムとを備える。制御システムは、複数の日において同じ傾向で電力を使用している専有部を予め特定している。制御システム、夜間から朝にかけての連続する所定の時間帯の各デマンド時限において、デマンド値が閾値以上になるか否かを予測する。制御システムは、デマンド値が閾値以上になると予測された場合には、特定された専有部のヒートポンプ給湯機の稼働開始時刻を、所定の時間帯におけるデマンド値が閾値未満になるように、所定の時間帯内で変更する。制御システムは、変更された稼働開始時刻に、特定された専有部のヒートポンプ給湯機を動作させる。【選択図】図４
2022002450.tif 000002
【特許請求の範囲】
【請求項１】
複数の専有部分を有する集合住宅のデマンド値を管理するデマンド管理システムであって、
前記複数の専有部分の各々に設置された、複数のヒートポンプ給湯機と、
前記複数のヒートポンプ給湯機の各々の動作を制御する制御システムとを備え、
前記制御システムは、
前記複数の専有部分のうち、複数の日において同じ傾向で電力を使用している１つ以上の第１の専有部分を予め特定しており、
夜間から朝にかけての連続する所定の時間帯の各デマンド時限において、前記デマンド値が第１の閾値以上になるか否かを予測し、
前記デマンド値が第１の閾値以上になると予測された場合には、前記第１の専有部分の前記ヒートポンプ給湯機の稼働開始時刻を、前記所定の時間帯における前記デマンド値が前記第１の閾値未満になるように、前記所定の時間帯内で変更し、
前記変更された稼働開始時刻に、前記第１の専有部分の前記ヒートポンプ給湯機を動作させる、デマンド管理システム。
【請求項２】
前記制御システムは、
前記第１の専有部分のうち、前記所定の時間帯のうちの最も早い時刻および最も遅い時刻において前記デマンド時限当たりの電力使用量が第２の閾値未満であり、かつ前記所定の時間帯の一部の時間帯において前記デマンド時限当たりの電力使用量が前記第２の閾値以上である、１つ以上の第２の専有部分を予め特定しており、
前記デマンド値が前記第１の閾値以上になると予測された場合には、前記所定の時間帯における前記デマンド値が前記第１の閾値未満になるように、前記第２の専有部分の前記ヒートポンプ給湯機の稼働開始時刻を前記所定の時間帯内で変更し、
前記変更された稼働開始時刻に、前記第２の専有部分の前記ヒートポンプ給湯機を動作させる、請求項１に記載のデマンド管理システム。
【請求項３】
前記制御システムは、前記デマンド値が前記第１の閾値以上になると予測された場合には、前記第２の専有部分のうちの一部の専有部分の前記ヒートポンプ給湯機の稼働開始時刻を、前記第２の専有部分のうちの残りの専有部分の前記ヒートポンプ給湯機の稼働開始時刻よりも早める、請求項２に記載のデマンド管理システム。
【請求項４】
前記制御システムは、前記デマンド値が第１の閾値以上になると予測された場合には、前記一部の専有部分の前記ヒートポンプ給湯機の稼働開始時刻を、前記所定の時間帯のうちの最も早い時刻とする、請求項３に記載のデマンド管理システム。
【請求項５】
前記制御システムは、
前記残りの専有部分における前記ヒートポンプ給湯機の稼働終了時刻が前記所定の時間帯のうちの最も遅い時刻となるように、前記残りの専有部分の前記ヒートポンプ給湯機の稼働開始時刻を変更し、
変更された前記稼働開始時刻に、前記残りの専有部分の前記ヒートポンプ給湯機を稼働させる、請求項４に記載のデマンド管理システム。
【請求項６】
前記制御システムは、
前記第２の専有部分における前記所定の時間帯における前記デマンド時限当たりの電力使用量を予測し、
前記予測された電力使用量に基づき、前記第２の専有部分の前記ヒートポンプ給湯機の稼働開始時刻と稼働終了時刻とを推定する、請求項２から５のいずれか１項に記載のデマンド管理システム。
【請求項７】
前記制御システムは、
前記第２の専有部分における前記デマンド時限当たりの電力使用量が前記所定の時間帯において初めて前記第２の閾値以上になる第１のデマンド時限を推定し、
前記第１のデマンド時限よりも前のデマンド時限であって、かつ前記第１のデマンド時限における前記デマンド時限当たりの電力使用量よりも第３の閾値以上、前記デマンド時限当たりの電力使用量が小さい第２のデマンド時限を推定し、
前記推定された第２のデマンド時限のうちの最後の時刻を、前記第２の専有部分の前記ヒートポンプ給湯機の稼働開始時刻とする、請求項６に記載のデマンド管理システム。
【請求項８】
前記制御システムは、
前記第１のデマンド時限の後に、前記第２の専有部分における前記デマンド時限当たりの電力使用量が前記所定の時間帯で前記第２の閾値を下回る第３のデマンド時限を推定し、
前記第３のデマンド時限のうちの最初の時刻を、前記第２の専有部分の前記ヒートポンプ給湯機の稼働終了時刻とする、請求項７に記載のデマンド管理システム。
【請求項９】
前記制御システムは、前記第２の専有部分における前記デマンド時限当たりの電力使用量が前記所定の時間帯で前記第２の閾値以上になるデマンド時限においては、前記デマンド時限当たりの電力使用量に対して所定の演算を行うことにより、前記第２の専有部分の前記ヒートポンプ給湯機の電力使用量を算出する、請求項８に記載のデマンド管理システム。
【請求項１０】
前記制御システムは、前記第２の専有部分の前記ヒートポンプ給湯機の電力使用量の情報を用いて、前記所定の時間帯における前記デマンド値の最大値が最小となるように、前記第２の専有部分のうちから、前記一部の専有部分と前記残りの専有部分とを決定する、請求項９に記載のデマンド管理システム。
【請求項１１】
前記集合住宅は、マンションであって、
前記制御システムは、マンションエネルギー管理システムと、ホームエネルギー管理システムとを含み、
前記ホームエネルギー管理システムは、各前記専有部分に設置され、
前記マンションエネルギー管理システムは、
前記所定の時間帯の各デマンド時限において、前記デマンド値が第１の閾値以上になるか否かを予測し、
前記デマンド値が第１の閾値以上になると予測された場合には、前記第１の専有部分の前記ヒートポンプ給湯機の稼働開始時刻を、前記所定の時間帯における前記デマンド値が前記第１の閾値未満になるように、前記所定の時間帯内で変更し、
前記第１の専有部分の前記ヒートポンプ給湯機の稼働開始時刻を、前記第１の専有部分のホームエネルギー管理システムに通知し、
前記第１の専有部分のホームエネルギー管理システムは、前記通知に基づき、前記変更された稼働開始時刻に、前記第１の専有部分の前記ヒートポンプ給湯機を動作させる、請求項１から１０のいずれか１項に記載のデマンド管理システム。
【請求項１２】
複数の専有部分を有する集合住宅のデマンド値を管理するデマンド管理システムであって、
前記複数の専有部分の各々に設置された、複数のヒートポンプ給湯機と、
前記複数のヒートポンプ給湯機の各々の動作を制御する制御システムとを備え、
前記制御システムは、
前記複数の専有部分のうち、複数の日において同じ傾向で電力を使用している１つ以上の専有部分を予め特定しており、
夜間から朝にかけての連続する所定の時間帯の各デマンド時限において、前記特定された専有部分の前記ヒートポンプ給湯機の稼働開始時刻を、前記所定の時間帯における前記デマンド値が低減するように、前記所定の時間帯内で変更し、
前記変更された稼働開始時刻に、前記特定された専有部分の前記ヒートポンプ給湯機を動作させる、デマンド管理システム。
【請求項１３】
複数の専有部分を有する集合住宅のデマンド値を管理するデマンド管理システムであって、
前記複数の専有部分の各々にはヒートポンプ給湯機が設置されており、かつ、各前記ヒートポンプ給湯機の各々の稼働開始時刻は、前記ヒートポンプ給湯機のユーザ操作に基づき変更可能であって、
前記デマンド管理システムは、
前記複数の専有部分のうち、複数の日において同じ傾向で電力を使用している１つ以上の第１の専有部分を予め特定しており、
夜間から朝にかけての連続する所定の時間帯の各デマンド時限において、前記デマンド値が第１の閾値以上になるか否かを予測し、
前記デマンド値が第１の閾値以上になると予測された場合には、前記第１の専有部分の前記ヒートポンプ給湯機の稼働開始時刻として、前記所定の時間帯における前記デマンド値が前記第１の閾値未満になるような時刻を設定し、
前記設定された時刻を、前記第１の専有部分の前記ヒートポンプ給湯機のユーザに対して通知する、デマンド管理システム。
【請求項１４】
前記デマンド管理システムは、
前記第１の専有部分のうち、前記所定の時間帯のうちの最も早い時刻および最も遅い時刻において前記デマンド時限当たりの電力使用量が第２の閾値未満であり、かつ前記所定の時間帯の一部の時間帯において前記デマンド時限当たりの電力使用量が前記第２の閾値以上である、１つ以上の第２の専有部分を予め特定しており、
前記デマンド値が第１の閾値以上になると予測された場合には、前記第２の専有部分の前記ヒートポンプ給湯機の稼働開始時刻として、前記所定の時間帯における前記デマンド値が前記第１の閾値未満になるような時刻を設定し、
前記設定された時刻を、前記第２の専有部分の前記ヒートポンプ給湯機のユーザに対して通知する、請求項１３に記載のデマンド管理システム。
【請求項１５】
前記デマンド管理システムは、前記第２の専有部分の前記ヒートポンプ給湯機の稼働開始時刻の設定に際し、前記第２の専有部分のうちの一部の専有部分の前記ヒートポンプ給湯機の稼働開始時刻を、前記第２の専有部分のうちの残りの専有部分の前記ヒートポンプ給湯機の稼働開始時刻よりも早める判断を行う、請求項１４に記載のデマンド管理システム。
【請求項１６】
前記デマンド管理システムは、前記一部の専有部分の前記ヒートポンプ給湯機のユーザに対して、稼働開始時刻を前記所定の時間帯のうちの最も早い時刻とするよう通知する、請求項１５に記載のデマンド管理システム。
【請求項１７】
前記デマンド管理システムは、
前記残りの専有部分における前記ヒートポンプ給湯機の稼働終了時刻が前記所定の時間帯のうちの最も遅い時刻となるように、前記残りの専有部分の前記ヒートポンプ給湯機の稼働開始時刻を算出し、
算出された前記稼働開始時刻を、前記残りの専有部分の前記ヒートポンプ給湯機のユーザに対して通知する、請求項１６に記載のデマンド管理システム。
【請求項１８】
前記集合住宅は、マンションであって、
前記デマンド管理システムは、マンションエネルギー管理システムと、ホームエネルギー管理システムとを含み、
前記ホームエネルギー管理システムは、各前記専有部分に設置され、
前記マンションエネルギー管理システムは、
夜間から朝にかけての連続する所定の時間帯の各デマンド時限において、前記デマンド値が第１の閾値以上になるか否かを予測し、
前記デマンド値が第１の閾値以上になると予測された場合には、前記第１の専有部分の前記ヒートポンプ給湯機の稼働開始時刻として、前記所定の時間帯における前記デマンド値が前記第１の閾値未満になるような時刻を設定し、
前記設定された時刻を、前記第１の専有部分のホームエネルギー管理システムに通知し、
前記ホームエネルギー管理システムは、前記通知に基づき、前記設定された時刻を前記第１の専有部分の前記ヒートポンプ給湯機のユーザに対して通知する、請求項１３から１７のいずれか１項に記載のデマンド管理システム。
【請求項１９】
前記デマンド管理システムは、複数の表示装置をさらに備え、
前記ホームエネルギー管理システムは、前記通知に基づき、前記設定された時刻を前記複数の表示装置のうち前記ユーザが使用する前記表示装置に対して通知し、
前記表示装置は、前記設定された時刻を表示する、請求項１８に記載のデマンド管理システム。
【請求項２０】
各々がヒートポンプ給湯機を有する複数の専有部分を備える集合住宅のデマンド管理方法であって、
前記複数の専有部分のうち、複数の日において同じ傾向で電力を使用している１つ以上の専有部分を予め特定するステップと、
夜間から朝にかけての連続する所定の時間帯の各デマンド時限において、前記集合住宅のデマンド値が所定の閾値以上になるか否かを予測するステップと、
前記デマンド値が第１の閾値以上になると予測された場合には、前記特定された専有部分の前記ヒートポンプ給湯機の稼働開始時刻を、前記所定の時間帯における前記デマンド値が前記所定の閾値未満になるように、前記所定の時間帯内で変更するステップと、
前記変更された稼働開始時刻となると、前記特定された専有部分の前記ヒートポンプ給湯機を動作させるステップとを備える、デマンド管理方法。
【請求項２１】
各々がヒートポンプ給湯機を有する複数の専有部分を備える集合住宅のデマンド管理方法であって、
前記複数の専有部分のうち、複数の日において同じ傾向で電力を使用している１つ以上の専有部分を予め特定するステップと、
夜間から朝にかけての連続する所定の時間帯の各デマンド時限において、前記特定された専有部分の前記ヒートポンプ給湯機の稼働開始時刻を、前記所定の時間帯における前記集合住宅のデマンド値が低減するように、前記所定の時間帯内で変更するステップと、
前記変更された稼働開始時刻に、前記特定された専有部分の前記ヒートポンプ給湯機を動作させるステップとを備える、デマンド管理方法。
【請求項２２】
各々がヒートポンプ給湯機を有する複数の専有部分を備える集合住宅のデマンド管理方法であって、各前記ヒートポンプ給湯機の各々の稼働開始時刻は、前記ヒートポンプ給湯機のユーザ操作に基づき変更可能であって、
前記デマンド管理方法は、
前記複数の専有部分のうち、複数の日において同じ傾向で電力を使用している１つ以上の専有部分を予め特定するステップと、
夜間から朝にかけての連続する所定の時間帯の各デマンド時限において、前記集合住宅のデマンド値が所定の閾値以上になるか否かを予測するステップと、
前記デマンド値が所定の閾値以上になると予測された場合には、前記特定された専有部分の前記ヒートポンプ給湯機の稼働開始時刻として、前記所定の時間帯における前記デマンド値が前記所定の閾値未満になるような時刻を設定するステップと、
前記設定された時刻を、前記特定された専有部分の前記ヒートポンプ給湯機のユーザに対して通知するステップとを備える、デマンド管理方法。
【発明の詳細な説明】
【技術分野】
【０００１】
本開示は、デマンド管理システムおよびデマンド管理方法に関する。
【背景技術】
【０００２】
従来、ヒートポンプ給湯機が知られている。ヒートポンプ給湯機では、冷媒として、フロンまたは二酸化炭素が用いられる。冷媒に二酸化炭素を用いるヒートポンプ給湯機は、自然冷媒ヒートポンプ給湯機と称される。このような自然冷媒ヒートポンプ給湯機は、エコキュート（登録商標）といった商品名で知られている。たとえばオール電化タイプの集合住宅では、各戸（各専有部分）にヒートポンプ給湯器が設置されている。
【０００３】
また、高圧の電力を一括受電するマンション等の集合住宅が増えている。このような集合住宅では、電力会社と契約する管理会社が、高圧の電力を一括して受電する。受電された高圧の電力は、１００ボルトまたは２００ボルトに降圧され、かつ各戸に配電される。
【０００４】
上記のように高圧の電力を一括受電する場合には、集合住宅における一日の使用電力の変動をできるだけ少なくするのが好ましい。当該使用電力の変動が小さくなると最大需要電力が低くなり、その結果、電気料金が安くなるためである。
【０００５】
たとえば特開２０１５−２８４１１号公報（特許文献１）では、給湯制御システムが、商用電源から集合住宅へ供給される第１基準時間毎の電力量が上限電力量を超えないように、沸き上げ運転を実行させるヒートポンプ給湯器を選定する。給湯制御システムは、ヒートポンプ給湯器の選定を、第１基準時間よりも長い第２基準時間が経過する毎に行う（［要約］参照）。
【先行技術文献】
【特許文献】
【０００６】
【特許文献１】特開２０１５−２８４１１号公報
【発明の概要】
【発明が解決しようとする課題】
【０００７】
一括受電の大規模な集合住宅では、個々の専有部分の電力需要予測は難しい。このため、電力のデマンド管理を行うためには、集合住宅全体でのエネルギーマネージメントが重要となる。また、一括受電を行う集合住宅のデマンドを下げるための適切なデマンド管理手法の確立が求められている。
【０００８】
本開示は、ヒートポンプ給湯機を備える専有部分を有する集合住宅のデマンド値を低減することが可能なデマンド管理システムおよびデマンド管理方法を提供する。
【課題を解決するための手段】
【０００９】
本開示のある局面に従うと、複数の専有部分を有する集合住宅のデマンド値を管理するデマンド管理システムは、複数の専有部分の各々に設置された、複数のヒートポンプ給湯機と、複数のヒートポンプ給湯機の各々の動作を制御する制御システムとを備える。制御システムは、複数の専有部分のうち、複数の日において同じ傾向で電力を使用している１つ以上の第１の専有部分を予め特定している。制御システムは、夜間から朝にかけての連続する所定の時間帯の各デマンド時限において、デマンド値が第１の閾値以上になるか否かを予測する。制御システムは、デマンド値が第１の閾値以上になると予測された場合には、第１の専有部分のヒートポンプ給湯機の稼働開始時刻を、所定の時間帯におけるデマンド値が第１の閾値未満になるように、所定の時間帯内で変更する。制御システムは、変更された稼働開始時刻に、第１の専有部分のヒートポンプ給湯機を動作させる。
【００１０】
本開示の他の局面に従うと、複数の専有部分を有する集合住宅のデマンド値を管理するデマンド管理システムは、複数の専有部分の各々に設置された、複数のヒートポンプ給湯機と、複数のヒートポンプ給湯機の各々の動作を制御する制御システムとを備える。制御システムは、複数の専有部分のうち、複数の日において同じ傾向で電力を使用している１つ以上の専有部分を予め特定している。制御システムは、夜間から朝にかけての連続する所定の時間帯の各デマンド時限において、特定された専有部分のヒートポンプ給湯機の稼働開始時刻を、所定の時間帯におけるデマンド値が低減するように、所定の時間帯内で変更する。制御システムは、変更された稼働開始時刻に、特定された専有部分のヒートポンプ給湯機を動作させる。
【００１１】
本開示のさらに他の局面に従うと、デマンド管理システムは、複数の専有部分を有する集合住宅のデマンド値を管理する。複数の専有部分の各々にはヒートポンプ給湯機が設置されており、かつ、複数のヒートポンプ給湯機の各々の稼働開始時刻は、ヒートポンプ給湯機のユーザ操作に基づき変更可能である。デマンド管理システムは、複数の専有部分のうち、複数の日において同じ傾向で電力を使用している１つ以上の第１の専有部分を予め特定している。デマンド管理システムは、夜間から朝にかけての連続する所定の時間帯の各デマンド時限において、デマンド値が第１の閾値以上になるか否かを予測する。デマンド管理システムは、デマンド値が第１の閾値以上になると予測された場合には、第１の専有部分のヒートポンプ給湯機の稼働開始時刻として、所定の時間帯におけるデマンド値が所定の閾値未満になるような時刻を設定する。デマンド管理システムは、設定された時刻を、第１の専有部分のヒートポンプ給湯機のユーザに対して通知する。
【００１２】
本開示のさらに他の局面に従うと、各々がヒートポンプ給湯機を有する複数の専有部分を備える集合住宅のデマンド管理方法は、複数の専有部分のうち、複数の日において同じ傾向で電力を使用している１つ以上の専有部分を予め特定するステップと、夜間から朝にかけての連続する所定の時間帯の各デマンド時限において、特定された専有部分のヒートポンプ給湯機の稼働開始時刻を、所定の時間帯におけるデマンド値が低減するように、所定の時間帯内で変更するステップと、変更された稼働開始時刻に、特定された専有部分のヒートポンプ給湯機を動作させるステップとを備える。
【００１３】
本開示のさらに他の局面に従うと、デマンド管理方法は、各々がヒートポンプ給湯機を有する複数の専有部分を備える集合住宅のデマンドを管理する。複数のヒートポンプ給湯機の各々の稼働開始時刻は、ヒートポンプ給湯機のユーザ操作に基づき変更可能である。デマンド管理方法は、複数の専有部分のうち、複数の日において同じ傾向で電力を使用している１つ以上の専有部分を予め特定するステップと、夜間から朝にかけての連続する所定の時間帯の各デマンド時限において、デマンド値が所定の閾値以上になるか否かを予測するステップと、デマンド値が所定の閾値以上になると予測された場合には、特定された専有部分のヒートポンプ給湯機の稼働開始時刻として、所定の時間帯におけるデマンド値が所定の閾値未満になるような時刻を設定するステップと、設定された時刻を、特定された専有部分のヒートポンプ給湯機のユーザに対して通知するステップとを備える。
【発明の効果】
【００１４】
本開示によれば、ヒートポンプ給湯機を備える専有部分を有する集合住宅のデマンド値を低減することが可能となる。
【図面の簡単な説明】
【００１５】
【図１】デマンド管理システムの概略構成を説明するための模式図である。
【図２】デマンド管理システムにおいて実行される処理の概要を説明するための図である。
【図３】デマンド管理システムにおいて実行される処理の概要を説明するための図である。
【図４】デマンド管理システムで実行される処理の流れを説明するためのフロー図である。
【図５】図４のステップＳ３の詳細を説明するためのフロー図である。
【図６】パターンの一例を表した図である。
【図７】抽出期間の修正を説明するための模式図である。
【図８】あるパターンの場合における、ヒートポンプ給湯機の稼働開始時刻と稼働終了時刻とを説明するための模式図である。
【図９】あるパターンの場合における、ヒートポンプ給湯機による電力使用量を説明するための模式図である。
【図１０】図４のステップＳ４の詳細を説明するためのフロー図である。
【図１１】予測処理の概要を示した模式図である。
【図１２】予測のタイミングを説明するための模式図である。
【図１３】図１１で説明した予測処理よりも高度な予測処理の概要を示した模式図である。
【図１４】ＭＥＭＳのハードウェア構成の典型例を表した図である。
【発明を実施するための形態】
【００１６】
以下、図面を参照しつつ、本発明の各実施の形態に係るシステムについて説明する。以下の説明では、同一の部材には同一の符号を付してある。それらの名称および機能も同じである。したがって、それらについての詳細な説明は繰り返さない。
【００１７】
また、以下では、便宜上、「自然冷媒ヒートポンプ給湯機」を単に「ヒートポンプ給湯機」と称する。なお、以下で説明する処理は、「自然冷媒ヒートポンプ給湯機」だけではなく、「冷媒に二酸化炭素を用いるヒートポンプ給湯機」に対しても適用可能である。なお、以下では、１日の各時刻を２４時制で説明する。
【００１８】
＜Ａ．システム構成＞
図１は、本実施の形態に係るデマンド管理システムの概略構成を説明するための模式図である。
【００１９】
図１を参照して、集合住宅の例であるマンション３００は、高圧の一括受電式のマンションである。マンション３００は、複数の専有部分３１０＿＃１〜３１０＿＃５０と、ＭＥＭＳ（マンションエネルギー管理システム）３５０と、共用部分３８０と、変電設備３９０とを備えている。本例では、マンション３００が５０戸の専有部分を有する構成を示している。
【００２０】
なお、以下では、説明の便宜上、５０戸の専有部分３１０＿＃１〜３１０＿＃５０のうち任意の専有部分を、単に、「専有部分３１０」とも称する。また、５０戸は例示であり、数百戸であってもよい。戸数が多いほど制御対象の数が増加するため、デマンド管理の目的を達成しやすい。
【００２１】
変電設備３９０は、高圧の電力を降圧して、各専有部分３１０および共用部分３８０に配電する。
【００２２】
各専有部分３１０には、自然冷媒ヒートポンプ給湯機３２０と、ＨＥＭＳ（ホームエネルギー管理システム）３３０とが設置されている。また、各専有部分３１０では、タブレット端末３４０の表示機能および入力機能を有するデバイスが利用される。なお、ヒートポンプ給湯機３２０は、公知の構成であるため、本実施の形態に係る処理を除き、詳細な構成については説明を繰り返さない。
【００２３】
ＭＥＭＳ３５０は、マンション３００全体の電力需要情報等を把握し、マンション３００全体のエネルギー管理を行う。具体的には、ＭＥＭＳ３５０は、各専有部分３１０に設置されたＨＥＭＳ３３０に対して制御命令（通知）を送信する。なお、ＭＥＭＳ３５０は、専有部分３１０のみではなく、共用部分３８０の設備の自動制御を行なってもよい。
【００２４】
ＭＥＭＳ３５０は、典型的には、ネットワークＮＷを介して、サーバ１０００に通信可能に接続されている。なお、サーバ１０００は、レンタルサーバ（シェアサーバ，専用サーバ）であってもよいし、あるいはクラウド（クラウドサーバ）であってもよい。
【００２５】
ＨＥＭＳ３３０（詳しくは、ＨＥＭＳコントローラ）は、ＭＥＭＳ３５０（詳しくは、ＭＥＭＳコントローラ）からの制御指令を受け付けると、当該制御指令に基づき、専有部分３１０に設置された各機器の動作を制御する。本例では、ＨＥＭＳ３３０がＭＥＭＳ３５０からヒートポンプ給湯機３２０に対する制御命令を受信し、当該制御命令に基づき、ＨＥＭＳ３３０がヒートポンプ給湯機３２０の動作を制御（詳しくは、動作タイミングを変更）する構成に着目して説明する。なお、ＨＥＭＳ３３０は、典型的には無線にて専有部分３１０内の各機器と通信する。
【００２６】
本例では、ＭＥＭＳ３５０とＨＥＭＳ３３０とによって、ヒートポンプ給湯機３２０の動作を自動制御する制御システム１００が構成される。本例では、ＭＥＭＳ３５０とＨＥＭＳ３３０とが連携して、ヒートポンプ給湯機３２０の動作を制御する。本例では、特にＭＥＭＳ３５０の処理に着目して、デマンド管理システム１で実行される処理を説明する。
【００２７】
タブレット端末３４０は、電力に関する各種の情報を表示する。たとえば、タブレット端末３４０は、ヒートポンプ給湯機３２０の動作に関する情報を表示する。
【００２８】
ただし、これに限定されず、後述するように、タブレット３４０等に表示された情報に基づき、専有部分３１０の居住者が手動でヒートポンプ給湯機３２０の稼働タイミングを設定するように制御システムを構成してもよい。
【００２９】
＜Ｂ．処理の概要＞
図２および図３は、デマンド管理システム１において実行される処理の概要を説明するための図である。
【００３０】
図２を参照して、複数の専有部分３１０は、クラスタと、パターンとによって、予め場合分けされている。このような場合分けを示したデータテーブル２は、ＭＥＭＳ３５０（詳しくは、図示しないＭＥＭＳコントローラのメモリ）に格納されている。
【００３１】
本例では、複数の専有部分３１０は、３つのクラスタＣ１〜Ｃ３によって分類されている。また、複数の専有部分３１０は、４つのパターンＰ１〜Ｐ４によって分類されている。したがって、複数の専有部分３１０は、１２（＝３×４）個の区分に分類されている。
【００３２】
先ず、パターンについて説明すると以下のとおりである。夜間から朝にかけての連続する所定の時間帯（具体的には、２３時から７時までにおける８時間）において専有部分３１０（１戸）におけるデマンド時限の消費電力量が６００Ｗｈ／３０分以上連続する時間帯の態様によって、パターン分けがなされている。ただし、２３時から７時までの時間帯は典型例であって、所定の時間帯は２３時から７時までの時間帯に限定されるものではない。
【００３３】
なお、デマンド時限は、本例では、３０分である。具体的には、毎時０分〜３０分（詳しくは毎時０分００秒〜２９分５９秒）と、毎時３０分〜０分（詳しくは、毎時３０分００秒〜５９分５９秒）とである。デマンド時限の消費電力量は３０分毎の消費電力量である。
【００３４】
パターンＰ１は、上記の所定の時間帯（すなわち、２３時から７時）のうちの最も早い時刻（すなわち、２３時）および最も遅い時刻（すなわち７時）においてデマンド時限当たりの電力使用量が専有部分用の閾値Ｔｈ＿Ｓ（６００Ｗｈ／３０分）未満であり、かつ当該２３時から７時の一部の時間帯においてデマンド時限当たりの電力使用量が当該閾値Ｔｈ＿Ｓ（６００Ｗｈ／３０分）以上である場合である。
【００３５】
パターンＰ２は、２３時から７時のうちの最も早い時刻（すなわち、２３時）においてデマンド時限当たりの電力使用量が専有部分用の閾値Ｔｈ＿Ｓ（６００Ｗｈ／３０分）未満であり、かつ２３時以降から７時の一部の時間帯（７時を必ず含む）においてデマンド時限当たりの電力使用量が当該閾値Ｔｈ＿Ｓ（６００Ｗｈ／３０分）以上である場合である。
【００３６】
パターンＰ３は、２３時から７時のうちの最も遅い時刻（すなわち、７時）においてデマンド時限当たりの電力使用量が専有部分用の閾値Ｔｈ＿Ｓ（６００Ｗｈ／３０分）未満であり、かつ当該２３時から７時までの一部の時間帯（２３時を必ず含む）においてデマンド時限当たりの電力使用量が当該閾値Ｔｈ＿Ｓ（６００Ｗｈ／３０分）以上である場合である。
【００３７】
パターンＰ４は、２３時から７時の全ての時間帯においてデマンド時限当たりの電力使用量が当該閾値Ｔｈ＿Ｓ（６００Ｗｈ／３０分）以上である場合である。
【００３８】
次にクラスタについて説明する。クラスタＣ１は、複数の日において同じ傾向で電力を使用している専有部分３１０の集合体である。換言すれば、クラスタＣ１は、ヒートポンプ給湯機３２０の動作が分かりやすい専有部分３１０の集合体である。クラスタＣ２は、昼間に消費電力量が多い専有部分３１０の集合体である。クラスタＣ３は、深夜帯の消費電力量が多い専有部分３１０の集合体である。
【００３９】
制御システム１００は、２３時から７時において、クラスタがＣ１であり、かつパターンがＰ１である専有部分３１０のヒートポンプ給湯機３２０の稼働開始時間を制御する。データテーブル２の例では、制御システム１００は、３０戸の専有部分３１０＿＃１，＃４，＃７，＃９，＃１１，＃１２，＃１５，…，＃４９のヒートポンプ給湯機３２０の稼働開始時間を制御する。
【００４０】
残りの専有部分３１０のヒートポンプ給湯機３２０については、制御システム１００は、稼働時間の設定を変更する制御は行わない。すなわち、残りの専有部分３１０のヒートポンプ給湯機３２０については、デフォルトの時刻となると、予定とおりに稼働が開始する。
【００４１】
クラスタＣ１かつパターンＰ１の専有部分３１０のヒートポンプ給湯機３２０を制御する理由は、デマンド抑制の確実性による。すなわち、クラスタＣ１は、他のクラスタＣ２，Ｃ３に比べて、ヒートポンプ給湯機３２０を制御し易く、かつ、パターンＰ１は、他のパターンＰ２、Ｐ３，Ｐ４に比べて、ヒートポンプ給湯機３２０の稼働時間を動かし易いためである。
【００４２】
ただし、他のクラスタＣ２，Ｃ３の専有部分３１０のヒートポンプ給湯機３２０、他のパターンＰ２、Ｐ３，Ｐ４の専有部分３１０のヒートポンプ給湯機３２０の制御を除外するものではない。これらを制御（管理）対象に入れてもよい。
【００４３】
なお、以下では、説明の便宜上、上述した３０戸の専有部分３１０＿＃１，＃４，＃７，＃９，＃１１，＃１２，＃１５，…，＃４９（すなわち、クラスタＣ１かつパターンＰ１の専有部分３１０）のヒートポンプ給湯機３２０を、説明の便宜上、「Ｃ１＆Ｐ１属性のヒートポンプ給湯機３２０」とも称する。また、クラスタがＣ１であり、かつパターンが任意である専有部分３１０（すなわち、クラスタＣ１の専有部分３１０）のヒートポンプ給湯機３２０を、「Ｃ１属性のヒートポンプ給湯機３２０」と称する。さらに、パターンがＰ１であり、かつクラスタが任意である専有部分３１０（すなわち、パターンＰ１の専有部分３１０）のヒートポンプ給湯機３２０を、「Ｐ１属性のヒートポンプ給湯機３２０」と称する。
【００４４】
制御システム１００（詳しくはＭＥＭＳ３５０）は、２３時から７時の各デマンド時限において、マンション３００（マンション全体）のデマンド値が、マンション全体に対して予め設定された閾値Ｔｈ＿Ｍ以上になるか否かを予測する。制御システム１００は、マンション３００のデマンド値が閾値Ｔｈ＿Ｍ以上になると予測された場合には、Ｃ１＆Ｐ１属性のヒートポンプ給湯機３２０の稼働開始時刻を、２３時から７時におけるマンション３００のデマンド値が閾値Ｔｈ＿Ｍ未満になるように、２３時から７時内において変更する。制御システム（詳しくはＨＥＭＳ３３０）１００は、変更された稼働開始時刻に、Ｃ１＆Ｐ１属性のヒートポンプ給湯機３２０を動作させる。
【００４５】
以下、図３を参照して、Ｃ１＆Ｐ１属性のヒートポンプ給湯機３２０の稼働開始時間の具体的な制御方法（設定方法）について説明する。
【００４６】
ＭＥＭＳ３５０は、２３時から７時までにおける８時間において、Ｃ１＆Ｐ１属性のヒートポンプ給湯機３２０の全て（３０台）の稼働開始タイミングを遅く設定する。本例では、ＭＥＭＳ３５０は、当該３０台のヒートポンプ給湯機３２０の稼働終了時刻が７時となるように、稼働開始タイミングを設定する（状態Ｚ１）。当該稼働開始タイミングの設定方法については後述する。
【００４７】
ＭＥＭＳ３５０は、状態Ｚ１の場合における、マンション３００全体（５０戸の専有部分３１０および共用部分３８０）についての、２３時から７時までのデマンドの最大値を算出（予測）する。詳しくは、ＭＥＭＳ３５０は、２３時から７時までの各デマンド時限（１６個（＝８時間／３０分）のデマンド時限）における各デマンド値（１６個のデマンド値）を予測し、予測された１６個のデマンド値のうち最大のデマンド値（以下では、「Ｑ１（ｋＷｈ／３０分）」と称する）を抽出する。なお、デマンド値Ｑ１は、マンション３００全体の電力消費量である。
【００４８】
また、共用部分３８０の電力消費の傾向は一定であるため、Ｑ１の算出に共用部分３８０の電力使用量を考慮しないことも可能である。
【００４９】
次に、ＭＥＭＳ３５０は、状態Ｚ１におけるＣ１＆Ｐ１属性のヒートポンプ給湯機３２０の稼働開始タイミングのうち、専有部分３１０＿＃１のヒートポンプ給湯機３２０の稼働開始タイミングを２３時に変更する（状態Ｚ２）。
【００５０】
ＭＥＭＳ３５０は、状態Ｚ２の場合における、マンション３００全体についての、２３時から７時までのデマンドの最大値を算出（予測）する。詳しくは、ＭＥＭＳ３５０は、２３時から７時までの各デマンド時限における各デマンド値を予測し、予測された１６個のデマンド値のうち最大のデマンド値（以下では、「Ｑ２（ｋＷｈ／３０分）」と称する）を抽出する。
【００５１】
次に、ＭＥＭＳ３５０は、状態Ｚ２におけるＣ１＆Ｐ１属性のヒートポンプ給湯機３２０の稼働開始タイミングのうち、専有部分３１０＿＃４のヒートポンプ給湯機３２０の稼働開始タイミングを２３時に変更する（状態Ｚ３）。すなわち、ＭＥＭＳ３５０は、Ｃ１＆Ｐ１属性のヒートポンプ給湯機３２０のうち、２台のヒートポンプ給湯機３２０の稼働開始タイミングを２３時に設定する。
【００５２】
ＭＥＭＳ３５０は、状態Ｚ３の場合における、マンション３００全体についての、２３時から７時までのデマンドの最大値を算出（予測）する。詳しくは、ＭＥＭＳ３５０は、２３時から７時までの各デマンド時限における各デマンド値を予測し、予測された１６個のデマンド値のうち最大のデマンド値（以下では、「Ｑ３（ｋＷｈ／３０分）」と称する）を抽出する。
【００５３】
以降、ＭＥＭＳ３５０は、Ｃ１＆Ｐ１属性のヒートポンプ給湯機３２０のうち、稼働開始タイミングを２３時に設定するヒートポンプ給湯機３２０の台数を順に１台ずつ多くする（状態Ｚ４〜Ｚ３１）。また、上記と同様に、各状態Ｚ４〜Ｚ３１における最大のデマンド値（Ｑ４（ｋＷｈ／３０分）〜Ｑ３１（ｋＷｈ／３０分））を抽出する。なお、以下では、ｉを１〜３１の自然数とする。
【００５４】
ＭＥＭＳ３５０は、上述した３１個の最大のデマンド値Ｑｉのうち、最小のデマンド値を特定する。さらに、ＭＥＭＳ３５０は、当該最小のデマンド値（「Ｑｍｉｎ」とも称する）のときのタイミングの組み合わせ（状態Ｚｉ）を選択する。
【００５５】
ＭＥＭＳ３５０は、たとえば状態Ｚ３のときのＱ３（ｋＷｈ／３０分）を最小のデマンド値として特定した場合、３１個の状態のうちから状態Ｚ３を選択する。この例の場合、ＭＥＭＳ３５０は、Ｃ１＆Ｐ１属性のヒートポンプ給湯機３２０のうち、専有部分３１０＿＃１，＃４のヒートポンプ給湯機３２０の稼働開始時刻を２３時に設定する。さらに、ＭＥＭＳ３５０は、残りの２８台のヒートポンプ給湯機３２０の稼働終了時刻が７時となるように、当該２８台のヒートポンプ給湯機３２０の稼働開始タイミングを遅く設定する。
【００５６】
詳しくは、ＭＥＭＳ３５０は、ＨＥＭＳ３３０を介して、３０台のＣ１＆Ｐ１属性のヒートポンプ給湯機３２０に対して、稼働開始時刻を変更するように指示を出す。指示を受けた各ヒートポンプ給湯機３２０は、指示された稼働開始時刻が到来すると、稼働を開始する。
【００５７】
このような構成によれば、ヒートポンプ給湯機３２０を備える専有部分３１０を有するマンション３００のデマンド値を低減することが可能となる。
【００５８】
［小括］
デマンド管理システム１を小括すると、以下のとおりである。
【００５９】
（１）デマンド管理システム１は、複数の専有部分３１０を有するマンション３００のデマンド値を管理する。デマンド管理システム１は、複数の専有部分３１０の各々に設置された、複数のヒートポンプ給湯機３２０と、複数のヒートポンプ給湯機３２０の各々の動作を制御する制御システム１００とを備える。
【００６０】
制御システム１００は、複数の専有部分３１０のうち、複数の日において同じ傾向で電力を使用している専有部分３１０を予め特定している。すなわち、制御システム１００は、クラスタＣ１の専有部分３１０を予め特定している。
【００６１】
また、制御システム１００は、２３時から７時の時間帯のうちの最も早い時刻（２３時）および最も遅い時刻（７時）においてデマンド時限当たりの電力使用量が閾値Ｔｈ＿Ｓ未満であり、かつ２３時から７時の時間帯の一部の時間帯においてデマンド時限当たりの電力使用量が閾値Ｔｈ＿Ｓ以上である、専有部分３１０を予め特定している。すなわち、制御システム１００は、パターンＰ１の専有部分３１０を予め特定している。
【００６２】
制御システム１００は、２３時から７時の時間帯の各デマンド時限において、マンション３００のデマンド値が閾値Ｔｈ＿Ｍ以上になるか否かを予測する。制御システム１００は、デマンド値が閾値Ｔｈ＿Ｍ以上になると予測された場合には、Ｃ１＆Ｐ１属性のヒートポンプ給湯機３２０の稼働開始時刻を、２３時から７時におけるマンション３００のデマンド値が閾値Ｔｈ＿Ｍ未満になるように、２３時から７時の時間帯内で変更する。制御システム１００は、変更された稼働開始時刻に、Ｃ１＆Ｐ１属性のヒートポンプ給湯機３２０を動作させる。
【００６３】
（２）制御システム１００は、マンション３００のデマンド値が閾値Ｔｈ＿Ｍ以上になると予測された場合には、クラスタＣ１かつパターンＰ１の専有部分３１０のうちの一部の専有部分３１０のヒートポンプ給湯機３２０の稼働開始時刻を、クラスタＣ１かつパターンＰ１の専有部分３１０のうちの残りの専有部分３１０のヒートポンプ給湯機３２０の稼働開始時刻よりも早める。
【００６４】
制御システム１００は、マンション３００のデマンド値が閾値Ｔｈ＿Ｍ以上になると予測された場合には、上述した一部の専有部分３１０のヒートポンプ給湯機３２０の稼働開始時刻を、２３時から７時の時間帯のうちの最も早い時刻（すなわち２３時）とする。
【００６５】
制御システム１００は、上述した残りの専有部分３１０におけるヒートポンプ給湯機３２０の稼働終了時刻が２３時から７時の時間帯のうちの最も遅い時刻（すなわち７時）となるように、当該残りの専有部分３１０のヒートポンプ給湯機３２０の稼働開始時刻を変更する。制御システム１００は、変更された稼働開始時刻に、当該残りの専有部分３１０のヒートポンプ給湯機３２０を稼働させる。
【００６６】
制御システム１００は、クラスタＣ１かつパターンＰ１の専有部分３１０のヒートポンプ給湯機３２０（すなわち、Ｃ１＆Ｐ１属性のヒートポンプ給湯機３２０）の電力使用量の情報を用いて、２３時から７時の時間帯におけるマンション３００のデマンド値の最大値Ｑｉが最小となるように、クラスタＣ１かつパターンＰ１の専有部分３１０のうちから、上述した一部の専有部分と上述した残りの専有部分とを決定する。
【００６７】
＜Ｃ．処理の詳細＞
以下、デマンド管理システム１の詳細について説明する。
【００６８】
（ｃ１．制御構造全体）
図４は、デマンド管理システムで実行される処理の流れを説明するためのフロー図である。
【００６９】
図４を参照して、ステップＳ１において、制御システム１００のＭＥＭＳ３５０は、マンション３００の電力需要を予測するプログラムを用いて、翌日のマンション３００の電力使用量をデマンド時限毎（３０分毎）に予測する。当該予測処理については、後述する（図１１〜図１４参照）。
【００７０】
ステップＳ２において、ＭＥＭＳ３５０は、２３時から７時までの間の各デマンド時限においてマンション３００のデマンド値が上述した閾値Ｔｈ＿Ｍ以上になるか否かを判断する。
【００７１】
ＭＥＭＳ３５０は、閾値Ｔｈ＿Ｍ以上になると判断した場合（ステップＳ２においてＹＥＳ）、ステップＳ３において、ヒートポンプ給湯機３２０の稼働状況を推定するプログラムを用いて、各専有部分３１０について、予測された電力使用量のうちヒートポンプ給湯機３２０による電力使用量（以下、「給湯機成分」とも称する）を抽出する。当該抽出処理の詳細については、後述する（図５〜図９参照）。
【００７２】
ＭＥＭＳ３５０は、閾値Ｔｈ＿Ｍ未満になると判断した場合（ステップＳ２においてＮＯ）、一連の処理を終了する。
【００７３】
ＭＥＭＳ３５０は、ステップＳ４において、デマンド抑制プログラムを実行して、所定のヒートポンプ給湯機３２０の稼働開始時刻を変更する。具体的には、ＭＥＭＳ３５０は、上述したように、Ｃ１＆Ｐ１属性のヒートポンプ給湯機３２０の稼働開始時刻を変更する。当該変更処理の詳細については、後述する（図１０参照）
ＭＥＭＳ３５０は、ステップＳ５において、ＨＥＭＳ３３０を介して、所定のヒートポンプ給湯機３２０（すなわち、Ｃ１＆Ｐ１属性のヒートポンプ給湯機３２０）を変更後の稼働開始時刻に動作させ、残りのヒートポンプ給湯機３２０をデフォルトの稼働時刻に動作させる制御を実行する。
【００７４】
（ｃ２．給湯機成分の抽出処理：ステップＳ３）
図５は、図４のステップＳ３の詳細を説明するためのフロー図である。図６は、パターンＰ１、Ｐ２，Ｐ３，Ｐ４の一例を表した図である。図５を参照して、ＭＥＭＳ３５０は、ステップＳ３１において、２３時から７時において、各専有部分３１０における電力使用量が連続して６００Ｗｈ／３０分（閾値Ｔｈ＿Ｓ）以上になる期間を抽出する。以下では、説明の便宜上、当該抽出された期間を、「抽出期間Ｒ」と称する。なお、抽出期間Ｒは、２３時から７時までの時間帯に含まれる期間である。
【００７５】
ＭＥＭＳ３５０は、ステップＳ３２において、抽出期間ＲがパターンＰ１（図１，図６参照）に分類されるか否かを判断する。具体的には、ＭＥＭＳ３５０は、抽出期間Ｒが２３時と７時とを含んでいない場合に、パターンＰ１に分類する。ＭＥＭＳ３５０は、抽出された期間がパターンＰ１に分類されると判断した場合（ステップＳ３２においてＹＥＳ）、ステップＳ３５、ステップＳ３６、ステップＳ３９の順に処理を進める。
【００７６】
ＭＥＭＳ３５０は、抽出期間ＲがパターンＰ１に分類されないと判断した場合（ステップＳ３２においてＮＯ）、ステップＳ３３において、抽出期間ＲがパターンＰ２（図１，図６参照）に分類されるか否かを判断する。具体的には、ＭＥＭＳ３５０は、抽出期間Ｒが２３時を含まず、７時を含んでいる場合に、パターンＰ２に分類する。ＭＥＭＳ３５０は、抽出期間ＲがパターンＰ２に分類されると判断した場合（ステップＳ３３においてＹＥＳ）、ステップＳ３５Ａ、ステップＳ３７、ステップＳ３９の順に処理を進める。
【００７７】
ＭＥＭＳ３５０は、抽出期間ＲがパターンＰ２に分類されないと判断した場合（ステップＳ３３においてＮＯ）、ステップＳ３４において、抽出期間ＲがパターンＰ３（図１，図６参照）に分類されるか否かを判断する。具体的には、ＭＥＭＳ３５０は、抽出期間Ｒが２３時を含み、７時を含んでいない場合に、パターンＰ３に分類する。ＭＥＭＳ３５０は、抽出期間ＲがパターンＰ３に分類されると判断した場合（ステップＳ３４においてＹＥＳ）、ステップＳ３８、ステップＳ３６Ａ、ステップＳ３９の順に処理を進める。ＭＥＭＳ３５０は、抽出期間ＲがパターンＰ３に分類されないと判断した場合（ステップＳ３３においてＮＯ）、抽出された期間がパターンＰ４に分類されるとして、ステップＳ３８Ａ、ステップＳ３７Ａ、ステップＳ３９の順に処理を進める。
【００７８】
なお、ステップＳ３５の処理とステップＳ３５Ａの処理とは同じである。また、ステップＳ３６の処理とステップＳ３６Ａの処理とは同じである。ステップＳ３７の処理とステップＳ３７Ａの処理とは同じである。ステップＳ３８の処理とステップＳ３８Ａの処理とは同じである。
【００７９】
以下、ステップＳ３５，Ｓ３５Ａ，Ｓ３６，Ｓ３６Ａ，Ｓ３７，Ｓ３７Ａ，Ｓ３８，Ｓ３８Ａについて、図７，図８を参照しながら説明する。また、ステップＳ３９について、図９を参照しながら説明する。
【００８０】
また、以下では、各専有部分３１０の電力使用量を、時刻をパラメータとする関数として「Ｅ（ｔ）」と表記する。なお、変数ｔは時刻であり、Ｅ（ｔ）の単位はＷｈ／３０分である。
【００８１】
図７は、抽出期間の修正を説明するための模式図である。図８は、パターンＰ１の場合における、ヒートポンプ給湯機３２０の稼働開始時刻（推定時刻）と稼働終了時刻（推定時刻）とを説明するための模式図である。
【００８２】
（１）パターンＰ１の場合
ＭＥＭＳ３５０は、抽出された期間がパターンＰ１に分類されると判断した場合（図５のステップＳ３２においてＹＥＳ）、ステップＳ３５において、抽出期間Ｒの最初の時刻（時刻ｔ＝ｔｓ）から遡り、「Ｅ（ｔｓ）−Ｅ（ｔｓ−ｔｄ）≧２００Ｗｈ／３０分」が成立した最初の時刻（時刻ｔ＝ｔｓ−ｔｄ）をヒートポンプ給湯機３２０の稼働開始時刻と推定する（図７，図８参照）。
【００８３】
なお、図８では、例えば時刻ｔｓのときの電力使用量の値は、時刻ｔｓ−３０分〜時刻ｔｓのデマンド時限における電力使用量を表している。このように、任意の時刻ｔのときの電力使用量の値は、時刻ｔ−３０分〜時刻ｔに係るデマンド時限における電力使用量を表している。後述する図９でも同様である。
【００８４】
なお、ｔｄは、３０分の倍数である（ｔｄ＝３０，６０，９０，…）。また、ｔｄは、ｔｓ−ｔｄが２３時よりも前にならない値とする。ｔｄの値を大きくしても、ｔｓ−ｔｄが２３時としても上記の関係式が成立しない場合には、ＭＥＭＳ３５０は、ヒートポンプ給湯機３２０の稼働開始時刻を２３時とする。
【００８５】
さらに、ＭＥＭＳ３５０は、ステップＳ３６において、抽出期間Ｒの最後の時刻（時刻ｔ＝ｔｅ）をヒートポンプ給湯機３２０の稼働終了時刻と推定する（図７，図８参照）。すなわち、ＭＥＭＳ３５０は、時刻ｔｓ−ｔｄから時刻ｔｅまでの間を、ヒートポンプ給湯機３２０の稼働時間と判断する。
【００８６】
このようにＭＥＭＳ３５０は、抽出期間Ｒに基づき、ヒートポンプ給湯機３２０の稼働開始時刻と、稼働出終了時刻とを算出（予測）する。パターンＰ１の場合には、抽出期間Ｒの最後の時刻が稼働終了時刻となる。一方、抽出期間Ｒの最初の時刻を稼働開始時効とはせず、稼働開始時刻を抽出期間Ｒの最初の時刻よりも早い時刻とする。
【００８７】
なお、以下では、ＭＥＭＳ３５０は、当該稼働期間のうち、電力使用量が６００Ｗｈ／３０分（閾値Ｔｈ＿Ｓ）以上になる期間を、「主稼働期間」とも称する。パターンＰ１の場合には、抽出期間Ｒが主稼働期間となる。
【００８８】
（２）パターンＰ２の場合
ＭＥＭＳ３５０は、抽出された期間がパターンＰ２に分類されると判断した場合（図６のステップＳ３３においてＹＥＳ）、ステップＳ３５Ａにおいて、ステップＳ３５と同様に、抽出期間Ｒの最初の時刻（時刻ｔ＝ｔｓ）から遡り、「Ｅ（ｔｓ）−Ｅ（ｔｓ−ｔｄ）≧２００Ｗｈ／３０分」が成立した最初に時刻（時刻ｔ＝ｔｓ−ｔｄ）をヒートポンプ給湯機３２０の稼働開始時刻と推定する（図７参照）。なお、稼働開始時刻は、２３時から５時３０分の間とする。
【００８９】
さらに、ＭＥＭＳ３５０は、ステップＳ３７において、抽出期間Ｒのうち電力使用量の変化量（Ｅ（ｔ）−Ｅ（ｔ−３０分））が負に最大となる時刻を稼働終了時刻と推定する（図７参照）。
【００９０】
このようにＭＥＭＳ３５０は、パターンＰ２の場合も、抽出期間Ｒに基づき、ヒートポンプ給湯機３２０の稼働開始時刻と、稼働出終了時刻とを算出（予測）する。パターンＰ２の場合には、ＭＥＭＳ３５０は、パターンＰ１と同様に、抽出期間Ｒの最初の時刻を稼働開始時効とはせず、稼働開始時刻を抽出期間Ｒの最初の時刻よりも早い時刻とする。さらに、パターンＰ１とは異なり、ＭＥＭＳ３５０は、抽出期間Ｒの最後の時刻を稼働終了時効とはせず、稼働開終了時刻を上述した変化量の式を用いて算出する。
【００９１】
（３）パターンＰ３の場合
ＭＥＭＳ３５０は、抽出された期間がパターンＰ３に分類されると判断した場合（図６のステップＳ３４においてＹＥＳ）、ステップＳ３８において、抽出期間Ｒのうち電力使用量の変化量（Ｅ（ｔ）−Ｅ（ｔ−３０分））が最大（正に最大）となる時刻を稼働開始終了時刻と推定する（図７参照）。
【００９２】
さらに、ＭＥＭＳ３５０は、ステップＳ３６Ａにおいて、ステップＳ３６と同様に、抽出期間Ｒの最後の時刻（時刻ｔ＝ｔｅ）をヒートポンプ給湯機３２０の稼働終了時刻と推定する（図７参照）。
【００９３】
このようにＭＥＭＳ３５０は、パターンＰ３の場合も、抽出期間Ｒに基づき、ヒートポンプ給湯機３２０の稼働開始時刻と、稼働出終了時刻とを算出（予測）する。パターンＰ３の場合には、ＭＥＭＳ３５０は、パターンＰ１と同様に、抽出期間Ｒの最後の時刻を稼働終了時刻とする。一方、ＭＥＭＳ３５０は、抽出期間Ｒの最初の時刻を稼働開始時効とはせず、稼働開始時刻を上述した変化量の式を用いて算出する。
【００９４】
（４）パターンＰ４の場合
ＭＥＭＳ３５００は、抽出された期間がパターンＰ４に分類されると判断した場合（図６のステップＳ３４においてＮＯ）、ステップＳ３８Ａにおいて、ステップＳ３８と同様に、抽出期間Ｒのうち電力使用量の変化量（Ｅ（ｔ）−Ｅ（ｔ−３０分））が最大（正に最大）となる時刻を稼働開始時刻と推定する（図７参照）。
【００９５】
さらに、ＭＥＭＳ３５０は、ステップＳ３７Ａにおいて、ステップＳ３７と同様に、抽出期間Ｒのうち電力使用量の変化量（Ｅ（ｔ）−Ｅ（ｔ−３０分））が負に最大となる時刻を稼働終了時刻と推定する（図７参照）。
【００９６】
このようにＭＥＭＳ３５０は、パターンＰ４の場合も、抽出期間Ｒに基づき、ヒートポンプ給湯機３２０の稼働開始時刻と、稼働出終了時刻とを算出（予測）する。
【００９７】
（５）ステップＳ３９について
ＭＥＭＳ３５０は、ステップＳ３６，Ｓ３７，Ｓ３６Ａ，Ｓ３７Ａの後、ステップＳ３９の処理を実行する。具体的には、ＭＥＭＳ３５０は、ステップＳ３９において、各専有部分３１０について、電力使用量のうち、ヒートポンプ給湯機３２０による電力使用量（すなわち、給湯機成分）を推定する。具体的には、ＭＥＭＳ３５０は、抽出期間Ｒ内の各デマンド時限のヒートポンプ給湯機３２０の電力使用量を、Ｍｉｎ（ｉｎｔ（Ｅ（ｔ）／１００）×１００，１０００）とし、それ以外のデマンド時限では電力使用量をＥ（ｔ）とする。
【００９８】
なお、Ｍｉｎ（）は、括弧内の変数のうち小さい方を出力する関数である。ｉｎｔ（）は、括弧内の演算結果を小数点を切り捨て、整数として出力する関数である。
【００９９】
たとえば、抽出期間Ｒ内のあるデマンド時限における、ある専有部分３１０の全体の電力使用量Ｅ（ｔ）が７８０Ｗｈ／３０分であったとする。この場合、デマンド時限のヒートポンプ給湯機３２０の電力使用量は、Ｍｉｎ（ｉｎｔ（７８０／１００）×１００，１０００）＝Ｍｉｎ（７×１００，１０００）＝７００Ｗｈ／３０分となる。
【０１００】
また、抽出期間Ｒ内のあるデマンド時限における、ある専有部分３１０の全体の電力使用量Ｅ（ｔ）が１１２０Ｗｈ／３０分であったとする。この場合、デマンド時限のヒートポンプ給湯機３２０の電力使用量は、Ｍｉｎ（ｉｎｔ（１１２０／１００）×１００，１０００）＝Ｍｉｎ（１１×１００，１０００）＝１０００Ｗｈ／３０分となる。
【０１０１】
図９は、パターンＰ１の場合における、ヒートポンプ給湯機３２０による電力使用量（給湯機成分）を説明するための模式図である。
【０１０２】
図９を参照して、抽出期間Ｒ内では、上述した関数を用いた演算により、ヒートポンプ給湯機３２０の電力使用量は、１００Ｗｈ単位の値として算出される。また、ヒートポンプ給湯機３２０の電力使用量の最大値は、上記の関数によって、１０００Ｗｈ／３０分以下となる。ヒートポンプ給湯機３２０の稼働期間（時刻ｔｓ−ｔｄ〜時刻ｔｅ）のうち、抽出期間Ｒ以外の期間（時刻ｔｓ−ｔｄ〜時刻ｔｓ）では、専有部分３１０の全体の電力使用量をヒートポンプ給湯機３２０の電力使用量とみなす。すなわち、上述したように、ヒートポンプ給湯機３２０の電力使用量をＥ（ｔ）とする。
【０１０３】
このような一連の演算により、パターンＰ１の各専有部分３１０に関し、２３時から７時までの各デマンド時限における、ヒートポンプ給湯機３２０によって使用される電力量が予測できる。
【０１０４】
（ｃ３．稼働開始時刻の変更処理：ステップＳ４）
ＭＥＭＳ３５０は、ステップＳ３（特に、ステップＳ３９）において抽出された複数の専有部分３１０のデマンド時限毎の給湯機成分のうち、クラスタＣ１かつパターンＰ１の専有部分３１０のヒートポンプ給湯機３２０（すなわち、Ｃ１＆Ｐ１属性のヒートポンプ給湯機３２０）の成分（デマンド時限毎の成分）を用いて、ステップＳ４の処理を実行する。ステップＳ４の処理は、図３で説明した処理に対応する。
【０１０５】
図１０は、図４のステップＳ４の詳細を説明するためのフロー図である。
【０１０６】
図１０を参照して、ＭＥＭＳ３５０は、ステップＳ４１において、合計５０戸の専有部分３１０のうち、クラスタＣ１かつパターンＰ１の専有部分３１０の専有部分３１０を特定する。本例では、図２および図３に基づき説明したように、３０戸の専有部分３１０を特定する。
【０１０７】
ステップＳ４２において、ＭＥＭＳ３５０は、ヒートポンプ給湯機３２０の稼働開始時刻を２３時にずらすヒートポンプ給湯機３２０を０台に、稼働終了時刻が７時になるように稼働開始時刻をずらすヒートポンプ給湯機３２０を３０台に設定する（図３の状態Ｚ１参照）。すなわち、ＭＥＭＳ３５０は、ヒートポンプ給湯機３２０の稼働開始時刻を早める専有部分３１０を０戸に、稼働開始時刻を遅らせる専有部分３１０を３０戸に設定する。
【０１０８】
ステップＳ４３において、ＭＥＭＳ３５０は、給湯機成分を除いた電力使用量と、ヒートポンプ給湯機３２０の稼働開始時刻をずらしたときの給湯機成分とを足し合わせることにより、各デマンド時限（１６個の期間）における、上記３０戸分の専有部分３１０の電力使用量（全電力使用量）を算出する。
【０１０９】
ステップＳ４４において、ＭＥＭＳ３５０は、ステップＳ４３で算出した３０戸分のデマンド時限毎の電力使用量（３０戸分の合計値）と、残りの２０戸のデマンド時限毎の電力使用量（制御対象外の２０戸分の合計値）とを、デマンド時限毎に足し合わせることにより、マンション３００全体のデマンド時限毎の電力使用量を算出する。
【０１１０】
ステップＳ４５において、ＭＥＭＳ３５０は、各デマンド時限（１６個のデマンド時限）におけるマンション３００全体の電力使用量（ステップＳ４４の算出結果）のうちから、最大値を取得する。たとえばヒートポンプ給湯機３２０の稼働開始時刻を２３時にずらすヒートポンプ給湯機３２０が０台のときには（図３の状態Ｚ１）、最大値はＱ１（ｋＷｈ／３０分）となる（図３参照）。
【０１１１】
ステップＳ４６において、ＭＥＭＳ３５０は、ヒートポンプ給湯機３２０の稼働開始時刻を２３時にずらすヒートポンプ給湯機３２０が３０台になったか否かを判断する。ＭＥＭＳ３５０は、３０戸になっていないと判断した場合（ステップＳ４６においてＮＯ）、ステップＳ４７において、ヒートポンプ給湯機３２０の稼働開始時刻を２３時にずらすヒートポンプ給湯機３２０を１台増やして、稼働終了時刻が７時となるように稼働開始時刻をずらすヒートポンプ給湯機３２０を１台減らす。
【０１１２】
ＭＥＭＳ３５０は、３０戸になったと判断した場合（ステップＳ４６においてＹＥＳ）、ステップＳ４８において、ステップＳ４５において取得された３１個の最大値（図３の例では、Ｑ１，Ｑ２，Ｑ３，…Ｑ３１）のうちの最小値を特定する。
【０１１３】
ステップＳ４９において、ＭＥＭＳ３５０は、上記最大値が最小となるときの、稼働開始時刻を２３時にずらすヒートポンプ給湯機３２０と、稼働終了時刻が７時となるように稼働開始時刻をずらすヒートポンプ給湯機３２０とを特定する。
【０１１４】
たとえば、図３の例において上記最大値の最小値がＱ３であった場合、ＭＥＭＳ３５０は、専有部分３１０＿＃１，＃４の計２台のヒートポンプ給湯機３２０を、稼働開始時刻を２３時にずらすヒートポンプ給湯機３２０として特定する。ＭＥＭＳ３５０は、専有部分３１０＿＃７，＃９，＃１１，＃１２，＃１５，…４９の計２８台のヒートポンプ給湯機３２０を、稼働終了時刻が７時となるように稼働開始時刻をずらすヒートポンプ給湯機３２０として特定する。
【０１１５】
（ｃ４．電力使用量の予測処理：ステップＳ１）
図４のステップＳ１における予測処理について詳しく説明する。
【０１１６】
図１１は、予測処理の概要を示した模式図である。
【０１１７】
ＭＥＭＳ３５０は、電力需要予測プログラム８００を用いて予測電力使用量８４０を算出する。具体的には、電力需要予測プログラム８００は、気温と電力需要との関係を示すデータ８１０と、前日までの電力使用量の実績値８２０と、曜日と需要電力の関係等を示したデータ８３０とを用いて、予測電力使用量８４０を算出する。
【０１１８】
詳しくは、電力需要予測プログラム８００は、気温の平年値および／または前日値、天気予報等に基づき翌日の気温を判断する。電力需要予測プログラム８００は、判断された気温と、気温と電力需要との関係を示すデータ８１０とに基づき、予測電力使用量８４０の算出を行う。なお、天気予報（府県天気予報）は、「府県予報区」を地域ごとに細分した「一次細分区域」単位で、毎日５時、１１時、１７時に気象庁から発表される。また、天気が急変したときには随時修正して発表される。発表内容は、今日、明日、および明後日の天気と風と波との予想と、明日までの6時間ごとの降水確率と最高および最低気温の予想とを含む。
【０１１９】
気温と電力需要との関係については、電力使用量のグラフは１９時から２時にかけて気温２０度付近を極小とする下に凸の形状を有することが多い。また、４時から６時は、ヒートポンプ給湯機の稼働時間と想定される。このことから、電力使用量を予測する際に、時間帯ごと区切ることが有効であると考えられる。
【０１２０】
図１２は、予測のタイミングを説明するための模式図である。
【０１２１】
図１２を参照して、ＭＥＭＳ３５０は、上述した電力需要予測プログラム８００を用いて、翌日の２４時間の電力使用量を、前日に１時間毎に刻々と予測する。湯が使用されると、湯の残量によりヒートポンプ給湯機３２０の稼働時間が決定される。
【０１２２】
図１３は、図１１で説明した予測処理よりも高度な予測処理の概要を示した模式図である。
【０１２３】
図１３を参照して、ＭＥＭＳ３５０は、前日までの電力使用量の実績値８２０と、気象シミュレーションモデルの計算により推定された気象実績値９３０とに基づき、気温と電力需要との関係更新プログラム９００を用いて、デマンド時限毎の気温と電力需要との関係を示すデータ８１０を更新する。
【０１２４】
さらに、ＭＥＭＳ３５０は、電力需要予測プログラム８００を用いて予測電力使用量８４０を算出する。具体的には、電力需要予測プログラム８００は、当該更新された気温と電力需要との関係を示すデータ９１０と、気象シミュレーションモデルで計算された気温予測値９２０と、前日までの電力使用量の実績値８２０と、曜日と需要電力の関係等を示したデータ８３０とを用いて、予測電力使用量８４０を算出する。
【０１２５】
［小括］
クラスタＣ１かつパターンＰ１の専有部分３１０、およびＣ１＆Ｐ１属性のヒートポンプ給湯機３２０に着目すると、以下のとおりである。
【０１２６】
（１）制御システム１００は、クラスタＣ１かつパターンＰ１の専有部分３１０における２３時から７時の間の時間帯におけるデマンド時限当たりの電力使用量を予測する。制御システム１００は、予測された電力使用量に基づき、Ｃ１＆Ｐ１属性のヒートポンプ給湯機３２０の稼働開始時刻と稼働終了時刻とを推定する。
【０１２７】
（２）制御システム１００は、クラスタＣ１かつパターンＰ１の専有部分３１０におけるデマンド時限当たりの電力使用量が２３時から７時の間の時間帯において初めて６００Ｗｈ／３０分（閾値Ｔｈ＿Ｓ）以上になる第１のデマンド時限（図８の例では、時刻ｔｓ−３０分〜時刻ｔｓ）を推定する。制御システム１００は、第１のデマンド時限よりも前のデマンド時限であって、かつ第１のデマンド時限におけるデマンド時限当たりの電力使用量よりも所定の閾値（本例では、２００Ｗｈ（図８参照））以上、デマンド時限当たりの電力使用量が小さい第２のデマンド時限（図８の例では、時刻ｔｓ−ｔｄ−３０分〜時刻ｔｓ−ｔｄ）を推定する。制御システム１００は、推定された第２のデマンド時限のうちの最後の時刻（時刻ｔ＝ｔｓ−ｔｄ）を、Ｃ１＆Ｐ１属性のヒートポンプ給湯機３２０の稼働開始時刻とする。
【０１２８】
（３）制御システム１００は、上記第１のデマンド時限の後に、クラスタＣ１かつパターンＰ１の専有部分３１０におけるデマンド時限当たりの電力使用量が２３時から７時の間の時間帯で６００Ｗｈ／３０分（閾値Ｔｈ＿Ｓ）を下回る第３のデマンド時限（図８の例では、時刻ｔｅ〜時刻ｔｅ＋３０分）を推定する。制御システム１００は、第３のデマンド時限のうちの最初の時刻（時刻ｔ＝ｔｅ）を、Ｃ１＆Ｐ１属性のヒートポンプ給湯機３２０の稼働終了時刻とする。
【０１２９】
（４）制御システム１００は、クラスタＣ１かつパターンＰ１の専有部分３１０におけるデマンド時限当たりの電力使用量が２３時から７時の間の時間帯で６００Ｗｈ／３０分（閾値Ｔｈ＿Ｓ）以上になるデマンド時限においては、デマンド時限当たりの電力使用量に対して所定の演算を行うことにより、Ｃ１＆Ｐ１属性のヒートポンプ給湯機３２０の電力使用量を算出する。所定の演算とは、本例では、ステップＳ３９で説明した関数Ｍｉｎ（ｉｎｔ（Ｅ（ｔ）／１００）×１００，１０００）による演算である。
【０１３０】
（５）制御システム１００は、Ｃ１＆Ｐ１属性のヒートポンプ給湯機３２０の電力使用量の情報を用いて、２３時から７時の間の時間帯におけるデマンド値の最大値が最小となるように、クラスタＣ１かつパターンＰ１の専有部分３１０のうちから、ヒートポンプ給湯機３２０の稼働時刻を早める専有部分とヒートポンプ給湯機３２０の稼働時刻を遅らせる専有部分とを決定する（図１０のステップＳ４９）。
【０１３１】
＜Ｄ．ＭＥＭＳ３５０のハードウェア構成＞
図１４は、ＭＥＭＳ３５０のハードウェア構成の典型例を表した図である。図１４を参照して、ＭＥＭＳ３５０は、主たる構成要素として、プログラムを実行するプロセッサ３５１と、データを不揮発的に格納するＲＯＭ３５２と、プロセッサ３５１によるプログラムの実行により生成されたデータ、又は入力装置を介して入力されたデータを揮発的に格納するＲＡＭ３５３と、データを不揮発的に格納するＨＤＤ３５４と、通信ＩＦ（Interface）３５５と、操作キー３５６と、電源回路３５７と、ディスプレイ３５８とを含む。各構成要素は、相互にデータバスによって接続されている。なお、通信ＩＦ３５５は、他の機器との間における通信を行なうためのインターフェイスである。
【０１３２】
ＭＥＭＳ３５０における処理は、各ハードウェアおよびプロセッサ３５１により実行されるソフトウェアによって実現される。このようなソフトウェアは、ＨＤＤ３５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ３５５等を介してダウンロードされた後、ＨＤＤ３５４に一旦格納される。そのソフトウェアは、プロセッサ３５１によってＨＤＤ３５４から読み出され、ＲＡＭ１５３に実行可能なプログラムの形式で格納される。プロセッサ３５１は、そのプログラムを実行する。
【０１３３】
同図に示されるＭＥＭＳ３５０を構成する各構成要素は、一般的なものである。したがって、本発明の本質的な部分は、ＲＡＭ３５３、ＨＤＤ３５４、記憶媒体に格納されたソフトウェア、あるいはネットワークを介してダウンロード可能なソフトウェアであるともいえる。なお、ＭＥＭＳ３５０の各ハードウェアの動作は周知であるので、詳細な説明は繰り返さない。
【０１３４】
また、ＨＥＭＳ３３０も、ＭＥＭＳ３５０と概ね同様のハードウェア構成を有する。詳しくは、ＨＥＭＳでは、典型的には、ＨＤＤ３５４の代わりにフラッシュメモリが用いられる。このため、ＨＥＭＳ３３０のハードウェア構成の詳細は、繰り返さない。
【０１３５】
＜Ｅ．変形例＞
上述した実施の形態の一部を以下のように変更してもよい。
【０１３６】
（ｅ１．閾値Ｔｈ＿Ｍの設定がない構成）
上記の説明においては、制御システム１００は、マンション３００のデマンド値が閾値Ｔｈ＿Ｍ以上になると予測された場合には、Ｃ１＆Ｐ１属性のヒートポンプ給湯機３２０の稼働開始時刻を、２３時から７時におけるマンション３００のデマンド値が閾値Ｔｈ＿Ｍ未満になるように、２３時から７時内において変更した。すなわち、上記の説明においては、マンション３００のデマンド値が閾値Ｔｈ＿Ｍ以上になると予想されたことをトリガーとして、ヒートポンプ給湯機３２０の稼働開始時刻を変更する処理を行った。
【０１３７】
しかしながら、このようなトリガーは、マンション３００全体のデマンドを低減する観点からは、必ずしも必要でない。このような構成の場合、デマンド管理システム１の制御システム１００は、少なくとも以下のような構成を有すると言える。
【０１３８】
制御システム１００は、複数の専有部分３１０のうち、複数の日において同じ傾向で電力を使用している専有部分３１０を予め特定している。すなわち、制御システム１００は、クラスタＣ１の専有部分３１０を予め特定している。
【０１３９】
また、制御システム１００は、２３時から７時の時間帯のうちの最も早い時刻（２３時）および最も遅い時刻（７時）においてデマンド時限当たりの電力使用量が閾値Ｔｈ＿Ｓ未満であり、かつ２３時から７時の時間帯の一部の時間帯においてデマンド時限当たりの電力使用量が閾値Ｔｈ＿Ｓ以上である、専有部分３１０を予め特定している。すなわち、制御システム１００は、パターンＰ１の専有部分３１０を予め特定している。
【０１４０】
制御システム１００は、２３時から７時の時間帯の各デマンド時限において、Ｃ１＆Ｐ１属性のヒートポンプ給湯機３２０の稼働開始時刻を、２３時から７時におけるマンション３００のデマンド値が低減するように、２３時から７時の時間帯内で変更する。制御システム１００は、変更された稼働開始時刻に、Ｃ１＆Ｐ１属性のヒートポンプ給湯機３２０を動作させる。
【０１４１】
（ｅ２．手動設定）
上記においては、ＨＥＭＳを用いて、ヒートポンプ給湯機３２０の稼働開始時刻を自動的に設定する方法を例に挙げて説明したが、これに限定されるものではない。専有部分３１０の居住者が制御システム１００から稼働開始時刻の変更を指示する通知を受けるように、システムを構成してもよい。
【０１４２】
この場合、居住者（ヒートポンプ給湯機３２０のユーザ）は、指示に従って、ヒートポンプ給湯機３２０の稼働開始時刻（２３時から７時の間の時間帯における稼働開始時刻）を設定すればよい。
【０１４３】
通知は、居住者が使用する端末装置で受信すればよい。端末装置としては、タブレット端末、スマートフォン、パーソナルコンピュータ等の各種のデバイスを利用できる。
【０１４４】
このような構成の場合には、制御システム１００は、上述した処理によって各ヒートポンプ給湯機３２０の稼働開始時刻を決定し、タブレット端末３４０等の表示装置を介して、決定した結果（稼働開始時刻）をユーザに対して通知すればよい。具体的には、当該構成の場合には、図４に示したステップＳ１〜Ｓ４が実行される。その後、ステップＳ５の代わりに、制御システム１００は、上述した通知を居住者の端末装置に送信する。
【０１４５】
このような構成であっても、ヒートポンプ給湯機３２０を備える専有部分３１０を有するマンション３００のデマンド値を低減することが可能となる。
【０１４６】
（ｅ３．他のクラスタおよびパターンへの拡張）
上記においては、制御の効率化等を図る観点から、ヒートポンプ給湯機３２０の稼働開始時刻の変更対象を、Ｃ１＆Ｐ１属性のヒートポンプ給湯機３２０に限定した。しかしながら、変更対象は、Ｃ１＆Ｐ１属性のヒートポンプ給湯機３２０に限定されるものではない。他の属性のヒートポンプ給湯機３２０の稼働開始時刻を２３時から７時の間で変更してもよい。たとえば、変更対象を、Ｃ１属性のヒートポンプ給湯機３２０（パターンは任意のヒートポンプ給湯機３２０）とすることができる。
【０１４７】
（ｅ４．他のトリガー）
「気温予測値」をトリガーとして、ヒートポンプ給湯機３２０の稼働開始時刻を変更する処理を行ってもよい。すなわち、気温の予測値が所定の値以上または所定の値以下となったことを条件に、ヒートポンプ給湯機３２０の稼働開始時刻を上述した手法で変更してもよい。
【０１４８】
また、「曜日」をトリガーとして、ヒートポンプ給湯機３２０の稼働開始時刻を変更する処理を行ってもよい。たとえば所定の曜日となったことを条件に、ヒートポンプ給湯機３２０の稼働開始時刻を上述した手法で変更してもよい。
【０１４９】
また、「３連休以上の連休の最終日」、「祝日」、「正月」等の特定日をトリガーとして、ヒートポンプ給湯機３２０の稼働開始時刻を変更する処理を行ってもよい。
【０１５０】
（ｅ５．サーバによる処理）
上記におけるＭＥＭＳ３５０の処理の一部を、サーバ１０００（図１参照）が実行するように、デマンド管理システム１を構成してもよい。たとえば、サーバが以下の処理をＭＥＭＳ３５０に代わって実行してもよい。
【０１５１】
サーバは、クラスタＣ１の専有部分３１０を予め特定している。また、サーバは、パターンＰ１の専有部分３１０を予め特定している。サーバは、２３時から７時の時間帯の各デマンド時限において、マンション３００のデマンド値が閾値Ｔｈ＿Ｍ以上になるか否かを予測する。サーバは、デマンド値が閾値Ｔｈ＿Ｍ以上になると予測された場合には、Ｃ１＆Ｐ１属性のヒートポンプ給湯機３２０の稼働開始時刻を、２３時から７時におけるマンション３００のデマンド値が閾値Ｔｈ＿Ｍ未満になるように、２３時から７時の時間帯内で変更する。サーバは、ＭＥＭＳ３５０およびＨＥＭＳ３１０によって、変更された稼働開始時刻に、Ｃ１＆Ｐ１属性のヒートポンプ給湯機３２０を動作させる。
【０１５２】
また、これらの処理を１つのサーバが実行するのではなく、複数のサーバが連携して当該処理を実行する構成であってもよい。
【０１５３】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１５４】
１  デマンド管理システム、２  データテーブル、１００  制御システム、１５１  プロセッサ、３００  マンション、３１０  専有部分、３２０  自然冷媒ヒートポンプ給湯機、３３０  ＨＥＭＳ、３５０  ＭＥＭＳ、３８０  共用部分、３９０  変電設備、８００  電力需要予測プログラム、１０００  サーバ。
【図１】
2022002450.tif 000003
【図２】
2022002450.tif 000004
【図３】
2022002450.tif 000005
【図４】
2022002450.tif 000006
【図５】
2022002450.tif 000007
【図６】
2022002450.tif 000008
【図７】
2022002450.tif 000009
【図８】
2022002450.tif 000010
【図９】
2022002450.tif 000011
【図１０】
2022002450.tif 000012
【図１１】
2022002450.tif 000013
【図１２】
2022002450.tif 000014
【図１３】
2022002450.tif 000015
【図１４】
2022002450.tif 000016